(57)【特許請求の範囲】
【請求項１】
少なくとも１台の映像表示機器と少なくとも１台の映像再生機器とを含む複数台の機器が互いに接続され、該複数台の機器間の通信によって該複数台の機器が互いに制御される複数機器制御システムにおいて、
映像再生機器は、
映像表示機器からの状態要求に応じ、自己の機器状態を表す状態データを該映像表示機器に送信するデータ送信手段と、
自己の機器状態を表す状態表示を再生映像に多重して第１多重映像信号を生成し、該第１多重映像信号を映像表示機器へ送出する第１映像多重手段を備え、
前記映像表示機器は、
前記映像再生機器に対して該映像再生機器の状態データの送信を要求する状態要求手段と、
前記映像再生機器からの状態データの受信に応じて、該映像再生機器の機器状態を表す状態表示を再生映像に多重して第２多重映像信号を生成する第２映像多重手段と、
前記第１多重映像信号および前記第２多重映像信号のいずれかを表示器に表示せしめる制御手段を備え、
前記制御手段は、前記映像再生機器の状態が変化し、且つ前記映像表示機器から該映像再生機器への状態要求があったときは前記第２多重映像信号を表示せしめる一方、前記映像再生機器の状態が変化し、且つ前記映像表示機器から該映像再生機器への状態要求がなかったときは、前記第１多重映像信号を表示せしめることを特徴とする、複数機器制御システム。
【発明の詳細な説明】
【０００１】
【発明の属する技術分野】
本発明は、複数台の機器が互いに接続されて、これら複数台の機器間の通信によって、複数台の機器が互いに制御される複数機器制御システムに関するものである。
【０００２】
【従来の技術】
近年、ヨーロッパにおいては、Ｐｒｏｊｅｃｔ５０プロトコル(ＡＶ−ＬＩＮＫ)と称される規格に準じた音響・映像(ＡＶ)システムの開発が進められている。
この種のＡＶシステムにおいては、例えば図１に示す様にＴＶ受像機(１)とビデオカセットレコーダ(２)とが“２１ＰＩＮ”コネクターを介して互いに接続される。又、ＴＶ受像機(１)とビデオカセットレコーダ(２)の間に、ＤＶＤプレーヤなどの他のＡＶ機器が介在して、更に大規模なＡＶシステムが構築されることもある。
Ｐｒｏｊｅｃｔ５０プロトコルに準じたＡＶシステムにおいては、複数台のＡＶ機器間でコマンドの送受信が行なわれることによって、複数台のＡＶ機器の動作が互いに制御される。
【０００３】
ところで、ＴＶ受像機(１)やビデオカセットレコーダ(２)等のＡＶ機器においては、自身の機器や他の機器の機器状態や操作メニュー等をＴＶ受像機(１)の画面に多重表示するための、所謂ＯＳＤ(on-screen display)機能が搭載されており、ユーザによる操作の簡便化に供されている。
【０００４】
【発明が解決しようとする課題】
しかしながら、Ｐｒｏｊｅｃｔ５０プロトコルに準じたＡＶシステムにおいては、例えばビデオカセットレコーダ(２)から再生される映像信号をＴＶ受像機(１)へ供給してその画面(11)に表示する場合に、次のような問題があった。
即ち、ビデオカセットレコーダ(２)において例えば“ストップ”から“プレイ”へのモード変化があった場合、ビデオカセットレコーダ(２)自身のＯＳＤ機能によって、再生映像に対してモード変化の表示を多重した多重映像信号が生成されて、ＴＶ受像機(１)へ供給される。一方、ＴＶ受像機(１)においては、ビデオカセットレコーダ(２)から受信される状態データに基づいて、ビデオカセットレコーダ(２)のモード変化が検知され、ＴＶ受像機(１)自身のＯＳＤ機能によって、画面(11)には、モード変化が多重表示される。
【０００５】
この結果、ＴＶ受像機(１)の画面(11)には、ビデオカセットレコーダ(２)のＯＳＤ機能によるモード表示と、ＴＶ受像機(１)のＯＳＤ機能によるモード表示とが、重複して行なわれることになる。
例えばＴＶ受像機(１)とビデオカセットレコーダ(２)のメーカが異なる場合、メーカ間の仕様の違いやコンセプトの違いによって、２つのモード表示のタイミングや方法が異なることになるため、見苦しい画面となり、特に２つのモード表示が同じ位置で重なった場合、表示の内容を読み取ることが困難となる問題がある。
【０００６】
そこで本発明の目的は、少なくとも１台の映像表示機器と少なくとも１台の映像再生機器とを含む複数台の機器が互いに接続された複数機器制御システムにおいて、映像表示機器のＯＳＤ機能による状態表示と映像再生機器のＯＳＤ機能による状態表示の重複を回避することである。
【０００７】
【課題を解決するための手段】
第１の発明の複数機器制御システムは、少なくとも１台の映像表示機器と少なくとも１台の映像再生機器とを含む複数台の機器が互いに接続され、複数台の機器間の通信によって複数台の機器が互いに制御される複数機器制御システムにおいて、映像再生機器は、映像表示機器からの状態要求に応じ、自己の機器状態を表す状態データを映像表示機器に送信するデータ送信手段と、自己の機器状態を表す状態表示を再生映像に多重して第１多重映像信号を生成するし、第１多重映像信号を映像表示機器へ送出する第１映像多重手段を備え、映像表示機器は、映像再生機器に対して映像再生機器の状態データの送信を要求する状態要求手段と、映像再生機器からの状態データの受信に応じて、映像再生機器の機器状態を表す状態表示を再生映像に多重して第２多重映像信号を生成する第２映像多重手段と、第１多重映像信号および第２多重映像信号のいずれかを表示器に表示せしめる制御手段を備え、制御手段は、映像再生機器の状態が変化し、且つ映像表示機器から映像再生機器への状態要求があったときは第２多重映像信号を表示せしめる一方、映像再生機器の状態が変化し、且つ映像表示機器から映像再生機器への状態要求がなかったときは、第１多重映像信号を表示せしめることを特徴とする。
【０００９】
上記本発明の複数機器制御システムにおいて、映像表示機器は、映像再生機器の状態を表示するべく、適時に、映像再生機器に対して状態データの送信を要求する。
映像再生機器は、映像再生機器からの状態要求(状態データの要求)の有無を常時監視しており、映像表示機器から状態要求があった場合において、自己の機器状態が変化したときには、ＯＳＤ機能を停止させる。これによって、映像表示機器のＯＳＤ機能に基づき、映像表示機器の画面に映像再生機器の機器状態が多重表示される。
これに対し、映像再生機器は、映像表示機器から状態要求がなかった場合において、自己の機器状態が変化したときには、ＯＳＤ機能を動作させる。これによって、映像再生機器のＯＳＤ機能に基づき、映像表示機器の画面に映像再生機器の機器状態が多重表示される。この場合、映像表示機器は、映像再生機器に状態要求を発していないので、自己のＯＳＤ機能を動作させることはない。
【００１０】
【発明の効果】
本発明に係る複数機器制御システムによれば、映像表示機器のＯＳＤ機能による状態表示と映像再生機器のＯＳＤ機能による状態表示とが重複することはなく、映像表示機器には、何れか一方のＯＳＤ機能による状態表示が行なわれるので、表示は見易いものとなる。
【００１１】
【発明の実施の形態】
以下、本発明をＰｒｏｊｅｃｔ５０プロトコルに準じたＡＶシステムに実施した形態につき、図面に沿って具体的に説明する。
本発明に係るＡＶシステムにおいては、図１に示す如くＴＶ受像機(１)とビデオカセットレコーダ(２)が“２１ＰＩＮ”コネクターを介して互いに接続されており、ビデオカセットレコーダ(２)から再生される映像信号をＴＶ受像機(１)へ供給して、その画面(11)に再生映像を表示することが可能である。
又、ＴＶ受像機(１)とビデオカセットレコーダ(２)の間には、ＤＶＤプレーヤ等の他の複数のＡＶ機器(図示省略)が介在している。
【００１２】
尚、ＴＶ受像機(１)及びビデオカセットレコーダ(２)はそれぞれ、自身の機器や他の機器の動作状態(メカニズムモード)、チューナの選択チャンネル、録画予約設定状態等の機器状態を、ＴＶ受像機(１)の画面(11)に多重表示するためのＯＳＤ機能を有している。
【００１３】
ＴＶ受像機(１)は、ＯＳＤ機能によってビデオカセットレコーダ(２)の機器状態を画面(11)に多重表示するべく、多重表示が可能な適時に、ビデオカセットレコーダ(２)に対して機器状態を表わす状態データを要求する。
又、ビデオカセットレコーダ(２)は、ＯＳＤ機能によって自己の機器状態をＴＶ受像機(１)の画面(11)に多重表示するべく、ビデオカセットから再生される映像信号に、ＴＶ受像機(１)から受信した状態データを多重して、多重映像信号を生成し、ＴＶ受像機(１)へ送出する。
【００１４】
図２は、ビデオカセットレコーダ(２)が実行するＯＳＤ制御手続きを表わしている。
先ず、ステップＳ１にて、ＴＶ受像機(１)から状態データの要求があったかどうかを判断し、ここでイエスと判断されたときは、更にステップＳ２にて、自己の機器状態に変化があったかどうかを判断する。ここでイエスと判断されたときは、ステップＳ３に移行して、ビデオカセットレコーダ(２)の状態データをＴＶ受像機(１)へ送信する。そして、ステップＳ４では、ビデオカセットレコーダ(２)側のＯＳＤ機能を停止させる。
この結果、ＴＶ受像機(１)のＯＳＤ機能に基づいて、ＴＶ受像機(１)の画面(11)にビデオカセットレコーダ(２)の機器状態が多重表示されることになる。
【００１５】
一方、ＴＶ受像機(１)から状態データの要求がなく、ステップＳ１にてノーと判断されたときは、ステップＳ５に移行して、自己の機器状態に変化があったかどうかを判断する。ここでイエスと判断されたときは、ステップＳ６にて、ビデオカセットレコーダ(２)側のＯＳＤ機能を動作させる。
この結果、ビデオカセットレコーダ(２)のＯＳＤ機能に基づき、ＴＶ受像機(１)の画面(11)にビデオカセットレコーダ(２)の機器状態が多重表示されることとなる。ここで、ＴＶ受像機(１)は、ビデオカセットレコーダ(２)に対して状態要求を発しておらず、ビデオカセットレコーダ(２)から状態データを受信することはないので、自己のＯＳＤ機能を動作させることはない。
【００１６】
又、図３は、ＴＶ受像機(１)が実行するＯＳＤ制御手続きを表わしており、先ず、ステップＳ２１にて、ビデオカセットレコーダ(２)から状態データを受信したかどうかを判断し、イエスと判断されたときは、ステップＳ２２に移行して、ＴＶ受像機(１)側のＯＳＤ機能を動作させる。
この結果、ビデオカセットレコーダ(２)の機器状態がＴＶ受像機(１)の画面(11)に多重表示される。
【００１７】
上述の如く、本発明に係るＡＶシステムによれば、ＴＶ受像機(１)が自己のＯＳＤ機能によってビデオカセットレコーダ(２)の機器状態を多重表示する場合には、ビデオカセットレコーダ(２)のＯＳＤ機能は停止させ、ＴＶ受像機(１)が自己のＯＳＤ機能を動作させないときに限って、ビデオカセットレコーダ(２)のＯＳＤ機能を動作させるので、ＴＶ受像機(１)のＯＳＤ機能による状態表示とビデオカセットレコーダ(２)のＯＳＤ機能による状態表示とが重複することはないので、機器状態の表示は見易いものとなる。
【００１８】
尚、本発明の各部構成は上記実施の形態に限らず、特許請求の範囲に記載の技術的範囲内で種々の変形が可能である。例えば、ＡＶシステムを構成する映像再生機器はビデオカセットレコーダ(２)に限らず、ＤＶＤプレーヤ等の周知の種々のＡＶ機器であってもよい。
【図面の簡単な説明】
【図１】本発明に係るＡＶシステムの機器構成を表わす図である。
【図２】ビデオカセットレコーダが実行するＯＳＤ制御手続きのフローチャートである。
【図３】ＴＶ受像機が実行するＯＳＤ制御手続きのフローチャートである。
【符号の説明】
(１)  ＴＶ受像機
(11)  画面
(２)  ビデオカセットレコーダ
【図１】
0004104300.tif 000002
【図２】
0004104300.tif 000003
【図３】
0004104300.tif 000004